(57)【特許請求の範囲】
【請求項１】
測定子の変位に応答して回転運動をする第１の指針と、
該第１の指針により示される第１の目盛と、
前記第１の指針に対して比例的に減速された回転運動をする第２の指針と、
該第２の指針により示される第２の目盛と、を備え、
前記第１の指針により示された前記第１の目盛に付された数値と前記第２の指針により示された前記第２の目盛に付された数値とを組み合わせることによって前記測定子の変位量を求めるようになされたダイヤルゲージにおいて、
前記第１の目盛に付された数値と前記第２の目盛に付された数値とが、互いに同じ単位および同じ位取りで表示されており、前記第１の指針および前記第２の指針がそれぞれ示した前記第１の目盛の数値と前記第２の目盛の数値とをそのまま加算することにより前記測定子の変位量を直接求めることができるようになされており、
前記第１の指針が長針であり、前記第２の指針が短針であり、該短針が示す前記第２の目盛においては、一つの目盛が、前記長針の一回転分を表していることを特徴とする、
ダイヤルゲージ。
【請求項２】
前記第１の指針および前記第２の指針が、互いに同軸の回転中心を有することを特徴とする請求項１記載のダイヤルゲージ。
【請求項３】
前記第１の指針および前記第２の指針が、互いに異なる位置に回転中心を有することを特徴とする請求項１記載のダイヤルゲージ。
【発明の詳細な説明】
【０００１】
【発明の属する技術分野】
本発明はダイヤルゲージに関する。より詳細に言えば、本発明はダイヤルゲージの目盛の数値表示に関する。
【０００２】
【従来の技術】
ダイヤルゲージの測定子は、測定部位に接触せしめられ、測定部位の変位に追従して変位する。このときの測定子の変位に応答して、ダイヤルゲージの指針が回転運動をし、指針が示す目盛板上の目盛の数値から、測定子の変位量すなわち測定部位の変位量を知ることができる。
【０００３】
広い測定範囲で使用する場合には、長針および短針、または主針および副針の２本の指針を有する二針型のダイヤルゲージが利用される。長針（主針）および短針（副針）は、ちょうど時計の分針と時針との関係に類似しており、短針は長針に対して比例的に減速された回転運動をするようになされている。典型的な例では、長針が一回りしたときに短針が一目盛動くようにされ、短針が示す目盛の数値と、長針が示す別の目盛の数値とを組み合わせることによって、測定子の変位量を求めるようになされている。
【０００４】
このような二針型ダイヤルゲージの従来例のダイヤル部分を図３に示す。このダイヤルゲージは、目量（ひと目盛の読み。ダイヤル部分に表示される）が０．０１ｍｍ、測定範囲が１０ｍｍのものである。長針１が示す第１の目盛２においては、一つの目盛が目量である０．０１ｍｍを表し、１０目盛ごとに目盛の数を示す数値が付されている。測定子（図示せず）が０．１ｍｍ、すなわち目量である０．０１ｍｍの１０倍変位すると、長針１は１０の数値を示し、測定子が１ｍｍ変位すると、長針１は一回転する。一方、短針３が示す第２の目盛４においては、一つの目盛が長針１の一回転分、すなわち１ｍｍを表し、１目盛ごとに目盛の数が付されている。測定子が１ｍｍ変位し、長針１が一回転すると、短針３は第２の目盛４の１の数値を示す。
【０００５】
図示のごとく、長針１が第１の目盛２の３０の数値を示し、短針３が第２の目盛４の１と２との数値の間を示していれば、１ｍｍ＋０．０１ｍｍ×３０＝１．３ｍｍの計算を行い、測定子の変位量が１．３ｍｍであることを知ることができる。
【０００６】
【発明が解決しようとする課題】
図３に示すような従来の二針型ダイヤルゲージの問題点は、未熟練者が迅速かつ正確に測定子の変位量を求めることができないということである。その理由は、長針および短針が示す数値から変位量を求めるときに、長針１が示す第１の目盛２の数値に目量（図３の例では０．０１ｍｍ）を掛け合わせるという換算の手順を踏んだうえで、短針３が指示する第２の目盛４の数値を加算しなければならないからである。これは熟練者には問題ないことではあるが、未熟練者や一時的にその測定に携わる者は、換算をひとけた誤ったり、換算に手間取ったりしやすい。
【０００７】
そこで本発明が解決しようとする課題は、未熟練者でも迅速かつ正確に変位量を求めることができるダイヤルゲージを提供することである。
【０００８】
【課題を解決するための手段】
上記課題を解決するため、本発明によれば、
測定子の変位に応答して回転運動をする第１の指針と、
該第１の指針により示される第１の目盛と、
前記第１の指針に対して比例的に減速された回転運動をする第２の指針と、
該第２の指針により示される第２の目盛と、を備え、
前記第１の指針により示された前記第１の目盛に付された数値と前記第２の指針により示された前記第２の目盛に付された数値とを組み合わせることによって前記測定子の変位量を求めるようになされたダイヤルゲージにおいて、
前記第１の目盛に付された数値と前記第２の目盛に付された数値とが、互いに同じ単位および同じ位取りで表示されており、前記第１の指針および前記第２の指針がそれぞれ示した前記第１の目盛の数値と前記第２の目盛の数値とをそのまま加算することにより前記測定子の変位量を直接求めることができるようになされたダイヤルゲージが提供される。
【０００９】
前記第１の指針および前記第２の指針は、互いに同軸の回転中心を有するものとすることができる。
【００１０】
また、前記第１の指針および前記第２の指針を、互いに異なる位置に回転中心を有するものとすることもできる。
【００１１】
【発明の実施の形態】
図１には、本発明によるダイヤルゲージの一つの実施例のダイヤル部分が示されている。測定子（図示せず）の変位に応答して回転運動をする長針（第１の指針）１、長針１により示される第１の目盛２、長針１に対して比例的に減速された回転運動をする短針（第２の指針）３、および短針３により示される第２の目盛４については、図３の従来例と同様である。長針１および短針３は、その長さの長短からそう呼ばれているが、長さにこだわりなく、いずれか一方（例えば長針）を主針、他方（例えば短針）を副針と呼んでもよい。また、図１のダイヤルゲージは、図３の従来例と同様、目量が０．０１ｍｍ、測定範囲が１０ｍｍのものである。
【００１２】
図１のダイヤルゲージが図３の従来例と異なる点は、第１の目盛２に付された数値と第２の目盛４に付された数値とが、互いに同じ単位および同じ位取りで表示されており、長針１および短針３がそれぞれ示した第１の目盛２の数値と第２の目盛４の数値とをそのまま加算することにより測定子の変位量を直接求めることができるようになされていることである。
【００１３】
第１の目盛２においては、図３の従来例と同様、一つの目盛が目量である０．０１ｍｍを表している。測定子が０．１ｍｍ、すなわち目量である０．０１ｍｍの１０倍変位すると、長針１は図３の従来例の場合と同様、目盛１０個分を移動する。しかしながら、１０個目の目盛に付されている数値は、図３の従来例のように目盛の個数である１０ではなく、実際の測定子の変位量の１ｍｍ未満の値をｍｍ単位で示す０．１である。このように第１の目盛２に付された数値（表示を省略されたものを含む）は、長針１が示した目盛の数値が、そのときの測定子の実際の変位量の１ｍｍ未満の値をｍｍ単位で表すようになされている。測定子が１ｍｍ変位すると、長針１は一回転する。
【００１４】
一方、短針３が示す第２の目盛４においては、一つの目盛が、長針１の一回転分、すなわち１ｍｍを表している。測定子が１ｍｍ変位し、長針１が一回転すると、短針３は第２の目盛４の１の数値まで移動する。すなわち、第２の目盛４に付された数値は、短針３が示した目盛の数値が、そのときの測定子の実際の変位量の１ｍｍ以上の値をｍｍ単位で表していることになる。
【００１５】
図示のごとく、長針１が第１の目盛２の０．３の数値を示し、短針３が第２の目盛４の１と２との間の数値を示していれば、１ｍｍ＋０．３ｍｍ＝１．３ｍｍの簡単な加算のみを行うことにより、測定子の変位量が１．３ｍｍであることを迅速かつ容易に知ることができる。しかも、計算のミスはまず考えられないので、変位量を正確に求めることができる。
【００１６】
図２には、本発明の別の実施例によるダイヤルゲージのダイヤル部分が示されている。図１の実施例では長針１および短針３が互いに異なる位置に回転中心を有しているのに対して、図２の実施例では、長針１および短針３が互いに同軸の回転中心を有している点が異なる。第１の目盛２および第２の目盛４における目盛の付け方およびそれぞれの目盛に付される数値の付け方については、図１の実施例と同様である。
【００１７】
【発明の効果】
本発明によるダイヤルゲージは、第１の指針および第２の指針がそれぞれ示した第１の目盛の数値と第２の目盛の数値とをそのまま加算することにより測定子の変位量を直接求めることができるので、未熟練者でも迅速かつ正確に測定子の変位量を求めることができる。
【図面の簡単な説明】
【図１】本発明によるダイヤルゲージの一実施例のダイヤル部分の正面図。
【図２】本発明によるダイヤルゲージの別の実施例のダイヤル部分の正面図。
【図３】従来のダイヤルゲージのダイヤル部分の正面図。
【符号の説明】
１  長針（第１の指針、主針）、２  第１の目盛、３  短針（第２の指針、副針）、４  第２の目盛。
【図１】
0003612148.tif 000002
【図２】
0003612148.tif 000003
【図３】
0003612148.tif 000004